(57)【特許請求の範囲】
【請求項１】
無線ローカルエリアネットワーク（ＷＬＡＮ）を介してユーザ端末（ＵＥ）と通信する通信回路と、
前記通信回路と結合される監視回路と
を備える、非アクティブタイマ再構成のための装置であって、前記監視回路は、
前記ＷＬＡＮ上において前記ＵＥの１又は複数のパケットデータネットワーク（ＰＤＮ）接続を監視し、
前記監視された１又は複数のＰＤＮ接続に基づいて、前記ＵＥが無線セルラネットワークの発展型ノード基地局（ｅＮＢ）と無線リソース制御（ＲＲＣ）接続モードにあるべきことを決定し、
前記ＵＥが前記ＲＲＣ接続モードにあるべきという前記決定に基づいて、前記ＵＥと関連付けられる非アクティブタイマの一時中断を前記ｅＮＢに要求する、非アクティブタイマ再構成（ＩＴＲ）メッセージを送信し、
前記非アクティブタイマは、前記ｅＮＢに設けられ、期間が終了すると前記ＵＥをＲＲＣアイドルモード又はデタッチされた状態に置くものである、
装置。
【請求項２】
前記ＵＥが前記ｅＮＢと前記ＲＲＣ接続モードにあるべきことを前記監視回路が決定するとき、前記ＵＥは、前記無線セルラネットワークを介したＰＤＮ接続がない、請求項１に記載の装置。
【請求項３】
前記監視回路は、前記１又は複数のＰＤＮ接続の第１のＰＤＮ接続と関連付けられる所望のクオリティオブサービス（ＱｏＳ）に基づいて、前記ＵＥが前記ｅＮＢと前記ＲＲＣ接続モードにあるべきことを決定する、請求項１に記載の装置。
【請求項４】
前記装置は、前記ＷＬＡＮを介して、及び前記無線セルラネットワークを介して前記ＵＥと通信するＰＤＮゲートウェイ（Ｐ−ＧＷ）により利用される、請求項１に記載の装置。
【請求項５】
前記監視回路は、前記ＩＴＲメッセージを前記無線セルラネットワークのモビリティ管理エンティティ（ＭＭＥ）に送信し、前記ＭＭＥは、前記ＩＴＲメッセージを前記ｅＮＢに転送する、請求項１に記載の装置。
【請求項６】
前記ＵＥが前記ｅＮＢと前記ＲＲＣアイドルモードにある場合、前記ＭＭＥは、前記ｅＮＢと前記ＲＲＣ接続モードに入るよう前記ＵＥに命令すべく、前記ＵＥをページングする、請求項５に記載の装置。
【請求項７】
前記ＵＥが前記ｅＮＢからデタッチされる場合、前記監視回路は、前記ｅＮＢと前記ＲＲＣ接続モードに入るよう前記ＵＥに命令する、ＰＤＮ接続要求メッセージを、前記ＷＬＡＮを介して前記ＵＥに送信する、請求項１に記載の装置。
【請求項８】
前記監視回路は、前記ＩＴＲメッセージを、前記ＷＬＡＮを介して前記ＵＥに送信する、請求項１に記載の装置。
【請求項９】
前記装置は、前記ＷＬＡＮの信頼性のある無線アクセスゲートウェイ（ＴＷＡＧ）、又は拡張パケットデータゲートウェイ（ｅＰＤＧ）により利用される、請求項１に記載の装置。
【請求項１０】
前記ＩＴＲメッセージは、前記ＵＥと関連付けられる前記非アクティブタイマの一時中断が要求されることを示す、第１の値を有するインジケータを含む第１のＩＴＲメッセージであり、前記監視回路はさらに、前記非アクティブタイマが再開されるべきであることを示す、第２の値を有するインジケータを含む第２のＩＴＲメッセージを送信する、請求項１から９のいずれか一項に記載の装置。
【請求項１１】
前記ＩＴＲメッセージは、前記非アクティブタイマを一時中断するための理由を示す、理由コードを含む、請求項１から９のいずれか一項に記載の装置。
【請求項１２】
無線セルラネットワークを介して、無線リソース制御（ＲＲＣ）接続モードのユーザ端末（ＵＥ）と通信する段階と、
前記ＵＥと関連付けられる非アクティブタイマの一時中断が要求されることを示す、非アクティブタイマ再構成（ＩＴＲ）メッセージを受信する段階と、
前記ＩＴＲメッセージに応答して、前記非アクティブタイマを一時中断する段階と
を備え、
前記非アクティブタイマは、期間が終了すると前記ＵＥをＲＲＣアイドルモード又はデタッチされた状態に置くものである、
発展型ノード基地局（ｅＮＢ）により利用される方法。
【請求項１３】
前記ＩＴＲメッセージは、前記ＵＥと関連付けられる前記非アクティブタイマの一時中断が要求されることを示す、第１の値の有するインジケータを含む第１のＩＴＲのメッセージであって、
前記方法はさらに、
前記非アクティブタイマが再開されるべきであることを示す、第２の値を有するインジケータを含む第２のＩＴＲメッセージを受信する段階と、
前記第２のＩＴＲメッセージに応答して、前記非アクティブタイマを有効化する段階と
を備える、請求項１２に記載の方法。
【請求項１４】
前記ＩＴＲメッセージは、前記非アクティブタイマを一時中断するための理由を示す、理由コードを含む、請求項１２に記載の方法。
【請求項１５】
前記非アクティブタイマが一時中断される間、前記ＵＥを前記ＲＲＣ接続モードに維持する段階をさらに備える、請求項１２に記載の方法。
【請求項１６】
前記非アクティブタイマの状態を、前記ＵＥについてのハンドオーバ処理の一部として、別のｅＮＢに送信する段階をさらに備える、請求項１２から１５のいずれか一項に記載の方法。
【請求項１７】
前記無線セルラネットワーク上の無線リンクに障害がない限り、前記非アクティブタイマが一時中断される間、前記ｅＮＢとデタッチ手続を開始しないよう前記ＵＥに命令する、前記ＩＴＲメッセージを前記ＵＥに転送する段階をさらに備える、請求項１２から１５のいずれか一項に記載の方法。
【請求項１８】
無線セルラネットワーク上において発展型ノード基地局（ｅＮＢ）と通信するセルラ無線回路と、
無線ローカルエリアネットワーク（ＷＬＡＮ）上において通信するＷＬＡＮ無線回路と、
前記セルラ無線回路及び前記ＷＬＡＮ無線回路と結合されるネットワーク管理回路と
を備える、ユーザ端末（ＵＥ）により利用される装置であって、
前記ネットワーク管理回路は、
非アクティブタイマを一時中断することを要求する、非アクティブタイマ再構成（ＩＴＲ）メッセージを受信し、
前記ＵＥが前記ｅＮＢと無線リソース制御（ＲＲＣ接続）モードにある場合、前記ＩＴＲメッセージを前記ｅＮＢに送信し、
前記非アクティブタイマは、前記ＵＥと関連付けられ、前記ｅＮＢに設けられ、期間が終了すると前記ＵＥをＲＲＣアイドルモード又はデタッチされた状態に置くものである、
装置。
【請求項１９】
前記ＵＥが前記ｅＮＢと前記ＲＲＣアイドルモードにある、又は前記無線セルラネットワークからデタッチされる場合、前記ネットワーク管理回路はさらに、前記ＲＲＣ接続モードの前記ｅＮＢと接続を確立し、次に、前記ＩＴＲメッセージを前記ｅＮＢに送信する、請求項１８に記載の装置。
【請求項２０】
前記ネットワーク管理回路はさらに、前記ｅＮＢが、前記ＩＴＲメッセージを受信後、前記非アクティブタイマをアクティブのまま保持していたことを決定し、
前記ｅＮＢが前記非アクティブタイマをアクティブのまま保持していたという前記決定に応答して、所定の期間の後に、別のＩＴＲメッセージを前記ｅＮＢに送信する、請求項１８に記載の装置。
【請求項２１】
前記ネットワーク管理回路はさらに、前記ＩＴＲメッセージに基づいて、前記ＵＥが前記無線セルラネットワークからデタッチ処理を開始することを防ぐ、請求項１８から２０のいずれか一項に記載の装置。
【請求項２２】
前記ＷＬＡＮ無線回路は、前記ＷＬＡＮを介してパケットデータネットワークゲートウェイ（Ｐ−ＧＷ）に接続され、前記ネットワーク管理回路はさらに、前記ＷＬＡＮ無線回路が前記ＷＬＡＮを介して前記Ｐ−ＧＷに接続される間、前記ＵＥが前記無線セルラネットワークからデタッチ処理を開始することを防ぐ、請求項１８から２０のいずれか一項に記載の装置。
【請求項２３】
モビリティ管理エンティティ（ＭＭＥ）に、
ユーザ端末（ＵＥ）と関連付けられる非アクティブタイマが一時中断されることを示す、パケットデータネットワークゲートウェイ(Ｐ−ＧＷ)から受信される非アクティブタイマ再構成（ＩＴＲ）メッセージを処理する手順と、
前記ＵＥが、前記ＭＭＥにより管理される発展型ノード基地局（ｅＮＢ）と無線リソース制御（ＲＲＣ）アイドルモードにあることを特定する手順と、
前記特定に応答して、前記ｅＮＢとＲＲＣ接続モードに入るよう前記ＵＥに命令すべく、前記ＵＥをページングする手順と、
前記ＩＴＲメッセージを前記ｅＮＢに送信する手順と、
を実行させ、
前記非アクティブタイマは、前記ｅＮＢに設けられ、期間が終了すると前記ＵＥを前記ＲＲＣアイドルモード又はデタッチされた状態に置くものである、
プログラム。
【請求項２４】
前記ＩＴＲメッセージは、第１のＩＴＲメッセージであって、前記プログラムは、前記ＭＭＥにさらに、
前記ＵＥと関連付けられる前記非アクティブタイマが一時中断されることを示す、第２のＩＴＲメッセージを受信する手順と、
前記第２のＩＴＲメッセージの受信時に、前記ＵＥが、前記ｅＮＢと前記ＲＲＣ接続モードにあることを特定する手順と、
前記ＵＥが前記ＲＲＣ接続モードにあるという前記特定に基づいて、前記ＩＴＲメッセージを前記ｅＮＢに送信する手順と、
を実行させる、請求項２３に記載のプログラム。
【請求項２５】
前記プログラムは、前記ＭＭＥにさらに、
前記ｅＮＢが、前記ＩＴＲメッセージを受信した後、前記非アクティブタイマをアクティブのまま保持していたことを決定する手順と、
前記ｅＮＢが前記非アクティブタイマをアクティブのまま保持していたという前記決定に応答して、所定の期間の後に、別のＩＴＲメッセージを前記ｅＮＢに送信する手順と、
を実行させる、請求項２３に記載のプログラム。
【請求項２６】
請求項２３から２５のいずれか一項に記載のプログラムを格納したコンピュータ可読記録媒体。
【発明の詳細な説明】
【技術分野】
【０００１】
［関連出願の相互参照］
本出願は、２０１４年６月２４日に出願され、「ＡＰＰＡＲＡＴＵＳＥＳ，ＭＥＴＨＯＤＳ，ＡＮＤ  ＳＹＳＴＥＭＳ  ＴＯ  ＲＥＤＵＣＥ  ＨＡＮＤＯＶＥＲ  ＬＡＴＥＮＣＹ  ＩＮ  ＡＮ  ＩＮＴＥＧＲＡＴＥＤ  ＷＩＲＥＬＥＳＳ  ＬＯＣＡＬ  ＡＲＥＡ  ＮＥＴＷＯＲＫ  ＡＮＤ  ＣＥＬＬＵＬＡＲ  ＮＥＴＷＯＲＫ」と題された、米国特許出願第１４／３１３、８７９号の優先権を主張し、本明細書と一致しないセクションがもしあれば、それらを除いて、あらゆる目的のために、その全体の開示が参照によって、本明細書に組み込まれる。
【０００２】
本発明の実施形態は概して、無線ネットワークに関し、より具体的には、統合無線ローカルエリアネットワーク及びセルラネットワークにおけるハンドオーバレイテンシを低減することに関する。
【背景技術】
【０００３】
多くのユーザ端末（ＵＥ）は、無線セルラネットワーク上において、及び無線ローカルエリアネットワーク（ＷＬＡＮ）上において通信する。無線セルラネットワーク上のトラフィック輻輳を低減すべく、及び／又はより速いデータ接続を提供すべく、ＵＥのパケットデータネットワーク（ＰＤＮ）接続は典型的に、ＷＬＡＮ上で開始され、又はＷＬＡＮに移行される。無線セルラネットワーク上にアクティブなＰＤＮ接続がなければ、ＵＥは、無線セルラネットワークと無線リソース制御（ＲＲＣ）アイドルモードに置かれてもよく、又は無線セルラネットワークからデタッチされ得る。しかしながら、ＰＤＮ接続が、ＷＬＡＮから無線セルラネットワークに転送される必要がある場合（例えば、ＷＬＡＮに障害がある、又はＵＥがＷＬＡＮのカバレッジエリアから移動する場合）、ＵＥは最初に、無線セルラネットワークとのＲＲＣ接続モードに移行しなければならず、それにより、ＰＤＮ接続のハンドオーバにおける遅延を引き起こす。
【図面の簡単な説明】
【０００４】
実施形態は、添付の図面と併せ、以下の詳細な説明により容易に理解されるであろう。この説明を容易にすべく、同様の参照符号は、同様の構造的要素を示す。実施形態は、添付の図面の図において、限定としてではなく、例示として示される。
【図１】様々な実施形態に従った、ネットワーク環境を概略的に示す。
【図２】様々な実施形態に従った、ユーザ端末（ＵＥ）を示すブロック図である。
【図３】様々な実施形態に従った、パケットデータネットワークゲートウェイ（Ｐ−ＧＷ）を示すブロック図である。
【図４】様々な実施形態に従った、無線ローカルエリアネットワーク（ＷＬＡＮ）ゲートウェイを示すブロック図である。
【図５】様々な実施形態に従った、モビリティ管理エンティティ（ＭＭＥ）を示すブロック図である。
【図６】様々な実施形態に従った、拡張ノード基地局（ｅＮＢ）を示すブロック図である。
【図７】様々な実施形態に従った、ＩＴＲがＰ−ＧＷにより開始され、ＩＴＲが開始されるとき、ＵＥが無線リソース制御（ＲＲＣ）接続モードにある、非アクティブタイマ再構成（ＩＴＲ）処理を示す。
【図８】様々な実施形態に従った、ＩＴＲがＰ−ＧＷにより開始され、ＩＴＲが開始されるとき、ＵＥがＲＲＣアイドルモードにある、ＩＴＲ処理を示す。
【図９】様々な実施形態に従った、ＩＴＲがＰ−ＧＷにより開始され、ＩＴＲが開始されるとき、ＵＥがデタッチ状態にある、ＩＴＲ処理を示す。
【図１０】様々な実施形態に従った、ＩＴＲがＷＬＡＮゲートウェイにより開始される、ＩＴＲ処理を示す。
【図１１】様々な実施形態に従って、本明細書で説明される装置及び方法を利用する例示のシステム構成を示す。
【発明を実施するための形態】
【０００５】
以下の詳細な説明において、参照は、同様の参照番号が随所にわたり同様の部分を示す本明細書の一部を形成する添付の図面に対してなされ、本明細書において実施され得る例示的な実施形態として示される。他の実施形態は利用され得、構造的又は論理的な変更は、本開示の範囲から逸脱することなく行われ得ることが理解されるべきである。従って、以下の詳細な説明は、限定的な意味として解釈されるべきではなく、実施形態の範囲は、添付の特許請求の範囲及びこれらの等価物により定義される。
【０００６】
様々な動作は、特許請求の範囲に記載の主題を理解するのに最も役立つ態様で、複数の別個のアクション又は動作として順番に説明され得る。しかしながら、説明の順序は、これらの動作が必ずしも、順序に依存していることを示唆するものとして解釈されるべきではない。特に、これらの動作は、提示の順序で実行されなくてもよい。説明される動作は、説明される実施形態とは異なる順序で実行され得る。追加の実施形態において、様々な追加の動作が実行され得、及び／又は、説明される動作は、省略され得る。
【０００７】
本開示の目的のために、「Ａ及び／又はＢ」及び「Ａ又はＢ」の表現は、（Ａ）、（Ｂ）、又は（Ａ及びＢ）を意味する。本開示の目的のために、「Ａ、Ｂ、及び／又はＣ」という表現は、（Ａ）、（Ｂ）、（Ｃ）、（Ａ及びＢ）、（Ａ及びＣ）、（Ｂ及びＣ）、又は（Ａ、Ｂ、及びＣ）を意味する。
【０００８】
説明は、「実施形態において」又は「複数の実施形態において」という表現を用い得、それぞれ、１又は複数の同一又は異なる実施形態を指し得る。さらに、「備える」「含む」「有する」等の、本開示の実施形態に関連して用いられるような用語は、同義語である。
【０００９】
本明細書で用いられるように、「回路」という用語は、特定用途向け集積回路（ＡＳＩＣ）、電子回路、プロセッサ（共有、専用、又は群）、及び／又は１又は複数のソフトウェア又はファームウェアプログラムを実行するメモリ（共有、専用、又は群）、組み合わせの論理回路、及び／又は、説明される機能を提供する他の適切なハードウェアコンポーネントを指し得、それらの一部であり得、又はそれらを含み得る。本明細書で用いられるように、「コンピュータ実行方法」は、１又は複数のプロセッサ、１又は複数のプロセッサを有するコンピュータシステム、（１又は複数のプロセッサを含み得る）スマートフォン、タブレット、ラップトップコンピュータ、セットトップボックス、ゲームコンソールなどのようなモバイルデバイスにより実行される任意の方法を指し得る。
【００１０】
図１は、様々な実施形態に従った、ネットワーク環境１００を概略的に示す。ネットワーク環境１００（以下、「ネットワーク１００」）は、ユーザ端末（ＵＥ）１０４、及びパケットデータネットワークゲートウェイ（Ｐ−ＧＷ）１０８を含み得る。ＵＥ１０４は、無線セルラネットワーク１１２、及び／又は無線ローカルエリアネットワーク（ＷＬＡＮ）１１６を介して、Ｐ−ＧＷ１０８と通信し得る。
【００１１】
無線セルラネットワーク１１２は、発展型ユニバーサルモバイル電気通信システム（ＵＭＴＳ）地上無線アクセスネットワーク（Ｅ−ＵＴＲＡＮ）のような、第３世代パートナシッププロジェクト（３ＧＰＰ）ロングタームエボリューション（ＬＴＥ）ネットワークのアクセスネットワークであり得る。無線セルラネットワーク１１２は、ＵＥ１０４と無線で通信するように構成される基地局、例えば、発展型ノード基地局（ｅＮＢ）１２０を含み得る。無線セルラネットワーク１１２はさらに、モビリティ管理エンティティ（ＭＭＥ）１２４、及びサービングゲートウェイ（Ｓ−ＧＷ）１２８を含み得る。
【００１２】
いくつかの実施形態において、ＷＬＡＮ１１６は、米国電気電子技術者協会（ＩＥＥＥ）８０２．１１（例えば、ＷｉＦｉ）ＷＬＡＮネットワークであり得る。ＷＬＡＮ１１６は、ＷＬＡＮゲートウェイ１３２を含み得る。ＷＬＡＮゲートウェイ１３２は、例えば、信頼性のある無線アクセスゲートウェイ（ＴＷＡＧ）、及び／又は拡張パケットデータゲートウェイ（ｅＰＤＧ）を含み得る。ＵＥ１０４は、アクセスポイント（ＡＰ、不図示）を介して、ＷＬＡＮゲートウェイ１３２と通信し得る。ＵＥ１０４は、ＡＰと無線で通信し得る。
【００１３】
いくつかの実施形態において、ネットワーク１００は、無線セルラネットワーク１１２、及び／又はＷＬＡＮ１１６を手助けする１又は複数の他のコンポーネント（不図示）を、ＵＥ１０４とＰ−ＧＷ１０８との間に含み得る。さらに、いくつかの実施形態において、ネットワーク１００における１又は複数のコンポーネントは、単一のデバイスに統合され得る。
【００１４】
図１のコンポーネントを接続する線は、ネットワーク１００の制御プレーン（例えば、無線セルラネットワーク１１２又はＷＬＡＮ１１６の制御プレーン）における複数のコンポーネント間の通信の連結を表し得る。無線セルラネットワーク１１２の制御プレーンにおいて、Ｐ−ＧＷ１０８は、Ｓ５及び／又はＳ８インタフェースを介して、Ｓ−ＧＷ１２８と通信し得、Ｓ−ＧＷ１２８は、Ｓ１１インタフェースを介して、ＭＭＥ１２４と通信し得、ＭＭＥ１２４は、Ｓ１インタフェース（例えば、Ｓ１−ＭＭＥインタフェース）を介して、ｅＮＢ１２０と通信し得、及び／又は、ｅＮＢ１２０は、無線リソース制御（ＲＣ）インタフェースを介して、ＵＥ１０４と通信し得る。ＷＬＡＮ１１６の制御プレーンにおいて、Ｐ−ＧＷ１０８は、Ｓ２ａ及び／又はＳ２ｂインタフェースを介して、ＷＬＡＮゲートウェイ１３２と通信し得、及び／又は、ＷＬＡＮゲートウェイ１３２は、Ｙｙ（例えば、ＷＬＡＮ制御プロトコル（ＷＬＣＰ））インタフェースを介して（例えば、ＡＰを介して）、ＵＥ１０４と通信し得る。
【００１５】
様々な実施形態において、ＵＥ１０４は、Ｐ−ＧＷ１０８と１又は複数のパケットデータネットワーク（ＰＤＮ）接続を確立し得る。１又は複数のＰＤＮ接続は、ＵＥ１０４が、ネットワークサービス（例えば、データ信号を送信及び／又は受信すること）を取得することを許可し得る。ＰＤＮ接続は、無線セルラネットワーク１１２又はＷＬＡＮ１１６を介して、ルーティングされ得る。ＰＤＮ接続と関連付けられる通信は、無線セルラネットワーク１１２又はＷＬＡＮ１１６のユーザプレーン（またはデータプレーンとも称される）上において行われ得る。無線セルラネットワーク１１２上におけるＰＤＮ接続は、ｅＮＢ１２０、ＭＭＥ１２４、及びＳ−ＧＷ１２８を介して、ＵＥ１０４からＰ−ＧＷ１０８までルーティングされ得る。ＷＬＡＮ１１６上におけるＰＤＮ接続は、ＷＬＡＮゲートウェイ１３２を介して、ＵＥ１０４からＰ−ＧＷ１０８までルーティングされ得る。
【００１６】
図２は、様々な実施形態に従った、ＵＥ１０４を概略的に示す。ＵＥ１０４は、無線セルラネットワーク１１２上においてｅＮＢ１２０と通信するセルラ無線回路２０４、及びＷＬＡＮ１１６上においてＡＰ１３６と通信するＷＬＡＮ無線回路２０８を含み得る。セルラ無線回路２０４、及び／又はＷＬＡＮ無線回路２０８は、信号を送信及び／又は受信する、ＵＥ１０４の１又は複数のアンテナ２１２と結合され得る。ＵＥ１０４はさらに、セルラ無線回路２０４、及び／又はＷＬＡＮ無線回路２０８と結合されるネットワーク管理回路２１６を含み得る。
【００１７】
図３は、様々な実施形態に従った、Ｐ−ＧＷ１０８を概略的に示す。Ｐ−ＧＷ１０８は、無線セルラネットワーク１１２及び／又はＷＬＡＮ１１６を介して、ＵＥ１０４と通信する通信回路３０４を含み得る。Ｐ−ＧＷ１０８はさらに、通信回路３０４と結合される監視回路３０８を含み得る。
【００１８】
図４は、様々な実施形態に従った、ＷＬＡＮゲートウェイ１３２を概略的に示す。ＷＬＡＮゲートウェイ１３２は、ＷＬＡＮ１１６を介して、ＵＥ１０４と通信する通信回路４０４を含み得る。ＷＬＡＮゲートウェイ１３２はさらに、通信回路４０４と結合される監視回路４０８を含み得る。
【００１９】
図５は、様々な実施形態に従ったＭＭＥ１２４を示す。ＭＭＥ１２４は、無線セルラネットワーク１１２を介して、ｅＮＢ１２０及び／又はＳ−ＧＷ１２８と通信する通信回路５０４を含み得る。通信回路５０４は、有線及び／又は無線インタフェースを介して、ｅＮＢ１２０及び／又はＳ−ＧＷ１２８と通信し得る。ＭＭＥ１２４はさらに、通信回路５０４と結合される管理回路５０８を含み得る。管理回路５０８は、ｅＮＢ１２０を含む、１又は複数のｅＮＢの通信を管理し得る。
【００２０】
図６は、様々な実施形態に従った、ｅＮＢ１２０を概略的に示す。ｅＮＢ１２０は、無線セルラネットワーク１１２を介して、ＵＥ１０４と通信する通信回路６０４を含み得る。通信回路６０４は、信号を送信及び／又は受信する、１又は複数のアンテナ６０８と結合され得る。ｅＮＢ１２０はさらに、通信回路６０４と結合される管理回路６１２を含み得る。管理回路６１２は、ＵＥ１０４と関連付けられる非アクティブタイマ６１６を管理し得る。
【００２１】
様々な実施形態において、１又は複数のＰＤＮ接続が無線セルラネットワーク１１２上でアクティブであるとき、ＵＥ１０４は、ｅＮＢ１２０とＲＲＣ接続モードにあり得る。ＵＥ１０４がもはや、無線セルラネットワーク１１２上でアクティブなＰＤＮ接続を有さないとき、ｅＮＢ１２０の管理回路６１２は、非アクティブタイマ６１６を有効化し得る。非アクティブタイマ６１６は、非アクティブタイマの開始時から、所定の期間後に終了し得る。非アクティブタイマ６１６が終了するとき、管理回路６１２は、ＵＥ１０４を、ＲＲＣアイドルモード、及び／又はデタッチ状態に置いてもよい。
【００２２】
ＲＲＣアイドルモードにおいて、ＵＥ１０４は、ｅＮＢ１２０とＲＲＣ接続を有しなくてもよく、ユーザプレーンにおいてデータパケットを送信又は受信可能でなくてもよい。ＵＥ１０４に対するＲＲＣコンテキスト情報は、ｅＮＢ１２０に格納されなくてもよい。しかしながら、ＵＥ１０４は、ページングメッセージ及び／又は他のシグナリング（例えば、システム情報ブロードキャスト）を、ＭＭＥ１２４から受信可能であってもよい。デタッチ状態において、ＵＥ１０４は、無線セルラネットワーク１１２の複数のコンポーネントのいずれとも接続されなくてもよい（例えば、ｅＮＢ１２０又はＭＭＥ１２４からメッセージを受信可能でなくてもよい）。管理回路６１２は、ＵＥ１０４をＲＲＣアイドルモードに置く、ＲＲＣ接続リリースメッセージをＵＥ１０４に送信し得る。さらに、又は代替的に、ＵＥ１０４は、無線セルラネットワーク１１２から完全に切断する（例えば、デタッチ状態に入る）、ＰＤＮデタッチ手続に従い得る。
【００２３】
様々な実施形態において、ネットワーク１００の１又は複数のデバイスは、非アクティブタイマ６１６の非アクティブタイマ再構成（ＩＴＲ）を開始し得る。例えば、ＩＴＲ処理は、Ｐ−ＧＷ１０８により（例えば、Ｐ−ＧＷ１０８の監視回路３０８により）、ＷＬＡＮゲートウェイ１３２により（例えば、ＷＬＡＮゲートウェイ１３２の監視回路４０８により）、ＵＥ１０４により（例えば、ＵＥ１０４のネットワーク管理回路２１６により）、ＭＭＥ１２４により（例えば、ＭＭＥ１２４の管理回路５０８）、及び／又はｅＮＢ１２０により（例えば、ｅＮＢ１２０の管理回路６１２）開始され得る。開始デバイスは、ＷＬＡＮ１１６上において通信される、ＵＥ１０４の１又は複数のＰＤＮ接続を監視し得る。開始デバイスは、ＷＬＡＮ１１６上において、監視された１又は複数のＰＤＮ接続に基づいて、ＵＥがｅＮＢ１２０とＲＲＣ接続モードにあるべきことを決定し得る。開始デバイスはさらに、ＵＥがＲＲＣ接続モードにあるべきという決定に基づいて、非アクティブタイマ６１６の１又は複数のパラメータの修正を要求する、ＩＴＲメッセージを送信し得る。例えば、ＩＴＲメッセージは、非アクティブタイマ６１６の一時中断を要求し得る。代替的に、いくつかの実施形態において、ＩＴＲメッセージは、非アクティブタイマ６１６により測定される期間を変化させること（例えば、非アクティブタイマ６１６が有効化されるときから、非アクティブタイマ６１６が終了するときまでの時間の長さ）を要求し得る。
【００２４】
様々な実施形態において、ＵＥ１０４は、非アクティブタイマ６１６が一時中断されている間、ＲＲＣ接続モードに維持されていてもよい。ＵＥ１０４をＲＲＣ接続モードにしておくことは、１又は複数のＰＤＮ接続が、ＵＥ１０４がＲＲＣアイドルモード、又は切断状態にあるときよりも速く、（例えば、ハンドオーバ処理により）ＷＬＡＮ１１６から無線セルラネットワーク１１２に転送されることを許可し得る。従って、非アクティブタイマ６１６の一時中断は、ＷＬＡＮ１１６から無線セルラネットワーク１１２までの１又は複数のＰＤＮ接続のハンドオーバに対するレイテンシを低減し得る。１又は複数のＰＤＮ接続のハンドオーバは、例えば、ＷＬＡＮ１１６に障害がある、及び／又はＷＬＡＮ１１６利用不可能である場合（例えば、ＵＥ１０４がＷＬＡＮ１１６のカバレッジエリアから移動する場合）に実行され得る。ハンドオーバは、例えば、ＵＥ１０４、Ｐ−ＧＷ１０８、及び／又はｅＮＢ１２０により開始され得る。
【００２５】
上記で説明されるように、いくつかの実施形態において、ＩＴＲは、Ｐ−ＧＷ１０８により開始され得る。Ｐ−ＧＷ１０８の監視回路３０８は、ＷＬＡＮ１１６上において通信される、ＵＥの１又は複数のＰＤＮ接続を監視し得る。監視回路３０８は、監視された１又は複数のＰＤＮ接続に基づいて、ＵＥが、ｅＮＢ１２０とＲＲＣ接続モードにあるべきと決定し得る。例えば、監視回路３０８は、ＰＤＮ接続の所望のクオリティオブサービス（ＱｏＳ）（例えば、第１のＰＤＮ接続と関連付けられるＱｏＳクラスインジケータ（ＱＣＩ）），ＰＤＮ接続と関連付けられるアプリケーション、及び／又は別のパラメータのような、複数のＰＤＮ接続のうちのいずれか１つのパラメータに基づいて、ＵＥがＲＲＣ接続モードにあるべきと決定し得る。
【００２６】
監視回路３０８は、ＵＥ１０４がＲＲＣ接続モードにあるべきという決定に基づいて、非アクティブタイマ６１６の一時中断を要求する、ＩＴＲメッセージを送信し得る。いくつかの実施形態において、ＵＥ１０４がＲＲＣ接続モードにあるべきことを監視回路３０８が決定するとき、及び／又は、監視回路３０８がＩＴＲメッセージを送信するとき、ＵＥ１０４は、無線セルラネットワーク１１２を介した０個のＰＤＮ接続を有し得る。
【００２７】
いくつかの実施形態において、ＩＴＲメッセージは、非アクティブタイマ６１６の一時中断が要求されていることを示す、第１の値を有する（例えば、１又は複数のビットを含む）ＩＴＲインジケータを含み得る。いくつかの実施形態において、ＩＴＲメッセージはさらに、非アクティブタイマを一時中断するための理由を示す（例えば、１又は複数のビットを含む）、理由コードを含み得る。例えば、理由コードは、非アクティブタイマを一時中断するための理由が、ＷＬＡＮ１１６上の１又は複数のアクティブなＰＤＮ接続の所望のＱｏＳであることを示す値を有し得る。
【００２８】
様々な実施形態において、ｅＮＢ１２０の管理回路６１２は、ＩＴＲメッセージを受信し得、ＩＴＲメッセージに基づいて、ＩＴＲタイマ６１６を一時中断し得る。従って、ＵＥ１０４は、非アクティブタイマ６１６が一時中断される間、ＲＲＣ接続モードに維持され得る。
【００２９】
いくつかの実施形態において、ｅＮＢ１２０の管理回路６１２は、ＩＴＲメッセージをＵＥ１０４に転送し得る。ＵＥ１０４のネットワーク管理回路２１６はＩＴＲメッセージを受信し得、及び、ＵＥ１０４が、ＩＴＲメッセージに基づいて、無線セルラネットワーク１１２からデタッチ手続を開始することを防ぎ得る。  従って、ＵＥ１０４は、非アクティブタイマ６１６が一時中断される間、デタッチ手続を開始しなくてもよい。代替的に、又はさらに、ＵＥ１０４がＷＬＡＮ１１６を介してＰ−ＧＷ１０８に接続されるとき、及び／又は、ＷＬＡＮ１１６上においてアクティブなＰＤＮ接続を有するとき、ＵＥ１０４がデタッチ手続を開始しないように、ＵＥ１０４は構成され得る。
【００３０】
様々な実施形態において、ＩＴＲメッセージを送信した後で、監視回路３０８は、ＵＥ１０４がもはやＲＲＣ接続モードにある必要がないことを決定し得る。例えば、ＩＴＲメッセージをトリガした、ＵＥの１又は複数のＰＤＮ接続は終了し得る。監視回路３０８は、非アクティブタイマ６１６が再開されるべきであることを示す、別のＩＴＲメッセージを送信し得る。例えば、別のＩＴＲメッセージのＩＴＲインジケータは、非アクティブタイマ６１６が再開されるべきであることを示す、第２の値を有し得る。
【００３１】
いくつかの実施形態において、Ｐ−ＧＷ１０８の監視回路３０８は、ＩＴＲメッセージを、ＭＭＥ１２４及び／又はＳ−ＧＷ１２８を介してｅＮＢ１２０に送信し得る。例えば、図７は、様々な実施形態に従った、ＩＴＲ処理７００（または、「処理７００」とも称される）を示す。処理７００は、ＵＥ１０４、Ｐ−ＧＷ１０８、ｅＮＢ１２０、ＭＭＥ１２４、Ｓ−ＧＷ１２８、及び／又はＷＬＡＮゲートウェイ１３２を含み得る。いくつかの実施形態において、ＩＴＲメッセージがＩＴＲ処理７００において開始されるとき、ＵＥ１０４は、ＲＲＣ接続モードにあり得る。
【００３２】
ＵＥ１０４は、ＷＬＡＮゲートウェイ１３２を介して、ＷＬＡＮ１１６上において、ＵＥ１０４とＰ−ＧＷ１０８との間にユーザプレーントラフィック７０４を有し得る。ユーザプレーントラフィックは、１又は複数のＰＤＮ接続を含み得る。
【００３３】
処理７００の７０８で、Ｐ−ＧＷ１０８は、ＩＴＲをトリガし得る。例えば、Ｐ−ＧＷは、ＷＬＡＮ１１６上において、ＵＥ１０４の１又は複数のＰＤＮ接続を監視し得、１又は複数のＰＤＮ接続に基づいて、ＩＴＲをトリガし得る。
【００３４】
処理７００の７１２で、Ｐ−ＧＷ１０８は、ＩＴＲメッセージをＳ−ＧＷ１２８に送信し得る。７１６で、Ｓ−ＧＷ１２８は、ＩＴＲメッセージをＭＭＥ１２４に転送し得る。７２０で、ＭＭＥ１２４は、ＩＴＲメッセージをｅＮＢ１２０に転送し得る。
【００３５】
７２４で、ｅＮＢ１２０は、無線セルラネットワーク１１２からのデタッチ手続を開始しないようＵＥ１０４に命令する、ＩＴＲメッセージをＵＥ１０４に転送し得る。  代替的に、又はさらに、ＵＥ１０４がＷＬＡＮ１１６を介してＰ−ＧＷ１０８に接続されるとき、及び／又は、ＷＬＡＮ１１６上においてアクティブなＰＤＮ接続を有するとき、ＵＥ１０４がデタッチ手続を開始しないように、ＵＥ１０４は構成され得る。
【００３６】
７２８で、ｅＮＢ１２０は、ＵＥ１０４と関連付けられる非アクティブタイマ６１６を一時中断し得る。従って、ｅＮＢ１２０は、ＵＥ１０４をＲＲＣ接続モードに維持し得る。
【００３７】
代替的に、いくつかの実施形態において、Ｐ−ＧＷ１０８は、ＩＴＲメッセージをＷＬＡＮ１１６に（例えば、ＷＬＡＮゲートウェイ１３２に）送信し得る。これらの実施形態において、ＩＴＲ処理は、図１０に示されて以下に説明されるＩＴＲ処理１０００と同様であり得る。
【００３８】
いくつかの場合において、ｅＮＢ１２０は、ＩＴＲメッセージを受信した後でも、非アクティブタイマ６１６をアクティブのまま保持することを決定し得る。従って、ｅＮＢ１２０は、非アクティブタイマ６１６が終了した後に、ＵＥ１０４をＲＲＣアイドルモードに移行し得る。いくつかの実施形態において、ＵＥ１０４がＲＲＣアイドルモードに入った後で、ＭＭＥ１２４は、ＵＥ１０４がＲＲＣ接続モードに戻ることを要求すべく、ＵＥ１０４をページングし得る。ＭＭＥ１２４は次に、非アクティブタイマ６１６を一時中断することを要求する、ＩＴＲメッセージをｅＮＢ１２０に再送信し得る。例えば、ＵＥ１０４がＵＥ１０４をページングし、ＩＴＲメッセージを再送信すべく、ＲＲＣアイドルモードに入った後で、ＭＭＥ１２４は、（例えば、ＩＴＲ再試行タイマの終了までの期間）所定の期間待機し得る。
【００３９】
いくつかの場合において、ＭＭＥ１２４がＩＴＲメッセージを受信するとき、ＵＥ１０４はＲＲＣ接続モードになくてもよい。従って、いくつかの実施形態において、ＭＭＥ１２４の管理回路５０８は、Ｐ−ＧＷ１０８から受信されたＩＴＲメッセージを処理し得、ＵＥ１０４がｅＮＢ１２０とＲＲＣアイドルモードにあることを特定し得る。その特定に応答して、管理回路５０８は、ｅＮＢとＲＲＣ接続モードに入るようＵＥ１０４に命令すべく、ＵＥ１０４をページングし得る。管理回路５０８はさらに、ＩＴＲメッセージをｅＮＢ１２０に送信し得る。いくつかの実施形態において、ＵＥ１０４が（例えば、ＭＭＥ１２４からのページングの受信に応答して）ｅＮＢ１２０とＲＲＣ接続モードに入った後で、管理回路５０８は、ＩＴＲメッセージをｅＮＢ１２０に送信し得る。
【００４０】
例えば、図８は、ＩＴＲ処理８００（または「処理８００」とも称される）を示し、そこでは、ＩＴＲメッセージはＰ−ＧＷ１０８により開始され、ＵＥ１０４はＲＲＣアイドルモードにある。処理８００は、ＵＥ１０４、Ｐ−ＧＷ１０８、ｅＮＢ１２０、ＭＭＥ１２４、Ｓ−ＧＷ１２８、及び／又はＷＬＡＮゲートウェイ１３２を含み得る。
【００４１】
ＵＥ１０４は、ＷＬＡＮゲートウェイ１３２を介して、ＷＬＡＮ１１６上において、ＵＥ１０４とＰ−ＧＷ１０８との間にユーザプレーントラフィック８０４を有し得る。ユーザプレーントラフィック８０４は、１又は複数のＰＤＮ接続を含み得る。
【００４２】
処理８００の８０８で、Ｐ−ＧＷ１０８は、ＩＴＲをトリガし得る。例えば、Ｐ−ＧＷは、ＷＬＡＮ１１６上において、ＵＥ１０４の１又は複数のＰＤＮ接続を監視し得、１又は複数のＰＤＮ接続に基づいて（例えば、複数のＰＤＮ接続の１又は複数の所望のＱｏＳのようなパラメータに基づいて）ＩＴＲをトリガし得る。
【００４３】
処理８００の８１２で、Ｐ−ＧＷ１０８は、ＩＴＲメッセージをＳ−ＧＷ１２８に送信し得る。８１６で、Ｓ−ＧＷ１２８は、ＩＴＲメッセージをＭＭＥ１２４に転送し得る。
【００４４】
８２０で、ＭＭＥ１２４は、ｅＮＢ１２０とＲＲＣ接続モードに入るようＵＥ１０４に命令すべく、ＵＥ１０４をページングし得る。ＵＥ１０４は、ページングを受信し得、ｅＮＢ１２０とＲＲＣ接続モードに入り得る。ＭＭＥ１２４はさらに、必要とされる場合、ＭＭＥ１２４とｅＮＢ１２０との間にＳ１インタフェースを確立し得る。
【００４５】
８２４で、ＭＭＥ１２４は、ＩＴＲメッセージをｅＮＢ１２０に送信し得る。
【００４６】
８２８で、ｅＮＢ１２０は、無線セルラネットワーク１１２からデタッチ手続を開始しないようＵＥ１０４に命令する、ＩＴＲメッセージをＵＥ１０４に転送し得る。さらに、８３２で、ｅＮＢ１２０は、ＵＥ１０４と関連付けられる非アクティブタイマ６１６を一時中断し得る。
【００４７】
他の場合において、Ｐ−ＧＷ１０８がＩＴＲをトリガするとき、ＵＥ１０４は、無線セルラネットワーク１１２からデタッチされ得る。その場合、Ｐ−ＧＷ１０８は、ＵＥ１０４が無線セルラネットワーク１１２からデタッチされることを特定し得、無線セルラネットワーク１１２に接続し、ＲＲＣ接続モードに入るようＵＥ１０４に命令する接続要求を、ＷＬＡＮ１１６を介して（例えば、ＷＬＡＮゲートウェイ１３２を介して）、ＵＥ１０４に送信し得る。
【００４８】
例えば、図９は、ＩＴＲ処理９００（または「処理９００」とも称される）を示し、その処理は、ＩＴＲがトリガされるときに、ＵＥ１０４がデタッチ状態にあるとき、実行され得る。処理９００は、ＵＥ１０４、Ｐ−ＧＷ１０８、ｅＮＢ１２０、ＭＭＥ１２４、Ｓ−ＧＷ１２８、及び／又はＷＬＡＮゲートウェイ１３２を含み得る。
【００４９】
ＵＥ１０４は、ＷＬＡＮゲートウェイ１３２を介して、ＷＬＡＮ１１６上において、ＵＥ１０４とＰ−ＧＷ１０８との間にユーザプレーントラフィック９０４を有し得る。ユーザプレーントラフィック９０４は、１又は複数のＰＤＮ接続を含み得る。
【００５０】
処理９００の９０８で、Ｐ−ＧＷ１０８は、ＩＴＲをトリガし得る。例えば、Ｐ−ＧＷは、ＷＬＡＮ１１６上において、ＵＥ１０４の１又は複数のＰＤＮ接続を監視し得、１又は複数のＰＤＮ接続に基づいて（例えば、ＰＤＮ接続の１又は複数の、所望のＱｏＳのようなパラメータに基づいて）、ＩＴＲをトリガし得る。
【００５１】
９１２で、Ｐ−ＧＷ１０８は、無線セルラネットワーク１１２に接続して、ｅＮＢ１２０とＲＲＣ接続モードに入るようＵＥ１０４に命令する接続要求を、ＷＬＡＮ１１６を介して（例えば、ＷＬＡＮゲートウェイ１３２を介して）ＵＥ１０４に送信し得る。ＵＥ１０４が無線セルラネットワーク１１２からデタッチされるという（例えば、Ｐ−ＧＷ１０８による）決定に応答して、接続要求が送信され得る。いくつかの実施形態において、接続要求は、無線セルラネットワーク１１２と接続を確立するのに用いる、ＵＥ１０４に対するアクセスポイントネーム（ＡＰＮ）のような、接続識別子を含み得る。
【００５２】
９１６で、ＵＥ１０４は、無線セルラネットワーク１１２上において接続を確立し得、ｅＮＢ１２０とＲＲＣ接続モードに入り得る。いくつかの実施形態において、ＵＥ１０４は、接続識別子に基づいて、無線セルラネットワーク１１２と接続を確立し得る。
【００５３】
９２０で、Ｐ−ＧＷ１０８は、ＩＴＲメッセージをＳ−ＧＷ１２８に送信し得る。９２４で、Ｓ−ＧＷ１２８は、ＩＴＲメッセージをＭＭＥ１２４に転送し得る。９２８で、ＭＭＥ１２４は、ＩＴＲメッセージをｅＮＢ１２０に転送し得る。
【００５４】
９３２で、ｅＮＢ１２０は、無線セルラネットワーク１１２からデタッチ手続を開始しないようＵＥ１０４に命令する、ＩＴＲメッセージをＵＥ１０４に転送し得る。さらに、９３６で、ｅＮＢ１２０は、ＵＥ１０４と関連付けられる非アクティブタイマ６１６を一時中断し得る。
【００５５】
上記で説明されたように、いくつかの実施形態において、Ｐ−ＧＷ１０８は、非アクティブタイマ６１６が再開されるべきであることを示す、第２のＩＴＲメッセージを送信し得る。Ｐ−ＧＷ１０８は、Ｓ−ＧＷ１２８、及び／又はＭＭＥ１２４を介して、第２のＩＴＲメッセージをｅＮＢ１２０に送信し得る。いくつかの実施形態において、ＭＭＥ１２４が第２のＩＴＲメッセージを受信するとき、ＵＥ１０４がＲＲＣアイドルモード、又はデタッチ状態にある場合、ＭＭＥ１２４は、第２のＩＴＲメッセージをｅＮＢ１２０に送信することなく、第２のＩＴＲメッセージを破棄し得る。
【００５６】
上記で説明されたように、いくつかの実施形態において、ＩＴＲメッセージは、ＷＬＡＮ１１６（例えば、ＷＬＡＮゲートウェイ１３２）により送信され得る。例えば、ＷＬＡＮゲートウェイ１３２は、ＩＴＲメッセージをＵＥ１０４に送信し得、ＵＥ１０４は、ＩＴＲメッセージをｅＮＢ１２０を転送し得る。ＩＴＲメッセージの送信は、ＷＬＡＮゲートウェイ１３２のような、ＷＬＡＮエンティティにより開始され得る。代替的に、Ｐ−ＧＷ１０８は、ＩＴＲメッセージの送信をトリガし得、ＵＥ１０４、及び／又はｅＮＢ１２０への転送のため、ＩＴＲメッセージをＷＬＡＮゲートウェイ１３２に送信し得る。
【００５７】
図１０は、様々な実施形態に従った、ＩＴＲ処理１０００（または「処理１０００」とも称される）を示し、そこではＩＴＲメッセージが、ＷＬＡＮゲートウェイ１３２により送信される。処理１０００は、ＵＥ１０４、ＷＬＡＮゲートウェイ１３２、Ｐ−ＧＷ１０８、及び／又はｅＮＢ１２０を含み得る。
【００５８】
ＵＥ１０４は、ＷＬＡＮゲートウェイ１３２を介して、ＷＬＡＮ１１６上において、ＵＥ１０４とＰ−ＧＷ１０８との間にユーザプレーントラフィック１００４を有し得る。ユーザプレーントラフィック１００４は、１又は複数のＰＤＮ接続を含み得る。
【００５９】
処理１０００の１００８で、ＷＬＡＮゲートウェイ１３２は、ＩＴＲをトリガし得る。例えば、ＷＬＡＮゲートウェイ１３２は、ＷＬＡＮ１１６上において、ＵＥ１０４の１又は複数のＰＤＮ接続を監視し得、１又は複数のＰＤＮ接続に基づいて（例えば、ＰＤＮ接続の１又は複数の、所望のＱｏＳのようなパラメータに基づいて）、ＩＴＲをトリガし得る。代替的、又はさらに、ＷＬＡＮゲートウェイ１３２は、Ｐ−ＧＷ１０８からの要求に基づいて、ＩＴＲをトリガし得る。
【００６０】
処理１０００の１０１２で、ＷＬＡＮゲートウェイ１３２は、ＩＴＲメッセージをＵＥ１０４に送信し得る。処理１０００の１０１６で、ＵＥ１０４は、ＩＴＲメッセージをｅＮＢ１２０に転送し得る。１０２０で、ｅＮＢ１２０は、ＵＥ１０４と関連付けられる非アクティブタイマ６１６を一時中断し得る。
【００６１】
いくつかの場合において、ｅＮＢ１２０は、ＩＴＲメッセージを受信した後でも、非アクティブタイマ６１６をアクティブのまま保持することを決定し得る。従って、ｅＮＢ１２０は、非アクティブタイマ６１６が終了した後に、ＵＥ１０４をＲＲＣアイドルモードに移行し得る。いくつかの実施形態において、ＵＥ１０４がＲＲＣアイドルモードに入った後に、ＵＥ１０４は、ＲＲＣ接続モードに再び入るべくｅＮＢ１２０に再接続し得、そして、非アクティブタイマ６１６を一時中断することを要求する、ＩＴＲメッセージをｅＮＢ１２０に再送信し得る。例えば、ＵＥ１０４は、ｅＮＢ１２０に再接続し、ＩＴＲメッセージを再送信すべく、ＲＲＣアイドルモードに入った後に、ＵＥ１０４は、（例えば、ＩＴＲ再試行タイマの終了に対して）所定の期間待機し得る。
【００６２】
様々な実施形態において、無線セルラネットワーク１１２上におけるＵＥ１０４の接続は、ハンドオーバ処理を介して、ｅＮＢ１２０（例えば、サービングｅＮＢ）から別のｅＮＢ（例えば、ターゲットｅＮＢ）に転送され得る。受信するｅＮＢは、ハンドオーバ処理の一部として、ＵＥ１０４と関連付けられる非アクティブタイマ６１６の状態が通知され得る。状態は、非アクティブタイマ６１６が一時中断されるか否かを示し得る。
【００６３】
例えば、ｅＮＢ１２０は、ハンドオーバ要求の一部として、及び／又は、ハンドオーバと関連付けられるＳＮ状態転送動作の一部として、ターゲットｅＮＢに非アクティブタイマ６１６の状態を提供し得る。代替的に、ＵＥ１０４は、非アクティブタイマ６１６の状態を、例えば、ターゲットｅＮＢでＲＲＣの再構成中又はその後に、ターゲットｅＮＢに送信し得る。
【００６４】
いくつかの実施形態において、無線セルラネットワーク１１２は、ＷＬＡＮ１１６及び無線セルラネットワーク１１２にわたって、トラフィックステアリングを制御し得る。従って、無線セルラネットワーク１１２（例えば、ＭＭＥ１２４、及び／又はｅＮＢ１２０）は、ＰＤＮ接続をＷＬＡＮ１１６に移行するかどうかを決定し得る。いくつかの実施形態において、全てのトラフィックがＷＬＡＮ１１６に移動されるとき、無線セルラネットワーク１１２は、非アクティブタイマ１１６を一時中断し得る。
【００６５】
いくつかの実施形態において、ｅＮＢ１２０は、ＷＬＡＮ１１６上において、ＵＥ１０４のＰＤＮ接続と関連付けられる情報を受信すべく、ＷＬＡＮ１１６（例えば、ＷＬＡＮゲートウェイ１３２）と、通信インタフェースを介して通信し得る。通信インタフェースは、ｅＮＢ１２０が、ＷＬＡＮ１１６上において、ＵＥ１０４のＰＤＮ接続を監視し、本明細書で説明されるようにＩＴＲを開始することを可能にし得る。
【００６６】
本明細書で説明されるＵＥ１０４、Ｐ−ＧＷ１０８、ｅＮＢ１２０、ＭＭＥ１２４、Ｓ−ＧＷ１２８、及び／又はＷＬＡＮゲートウェイ１３２は、所望のように構成すべく任意の適切なハードウェア及び／又はソフトウェアを用いて、システムに実装され得る。図１１は、一実施形態に関して、１又は複数のプロセッサ１１０４、プロセッサ１１０４のうちの少なくとも１つと結合されるシステム制御ロジック１１０８、システム制御ロジック１１０８と結合されるシステムメモリ１１１２、システム制御ロジック１１０８と結合される不揮発性メモリ（ＮＶＭ）／ストレージ１１１６、システム制御ロジック１１０８と結合されるネットワークインタフェース１１２０、及び、システム制御ロジック１１０８と結合される入力／出力（Ｉ／Ｏ）デバイス１１３２を備える、例示のシステム１１００を示す。
【００６７】
プロセッサ１１０４は、１又は複数のシングルコア又はマルチコアプロセッサを含み得る。プロセッサ１１０４は、汎用プロセッサ、及び専用プロセッサ（例えば、グラフィックスプロセッサ、アプリケーションプロセッサ、ベースバンドプロセッサなど）の任意の組み合わせを含み得る。
【００６８】
一実施形態に関して、システム制御ロジック１１０８は、プロセッサ１１０４のうちの少なくとも１つ、及び／又は、システム制御ロジック１１０８と通信する任意の適切なデバイス又はコンポーネントに任意の適切なインタフェースを提供する任意の適切なインタフェースコントローラを含み得る。
【００６９】
一実施形態に関して、システム制御ロジック１１０８は、システムメモリ１１１２にインタフェースを提供する１又は複数のメモリコントローラを含み得る。システムメモリ１１１２は、例えば通信ロジック１１２４に、データ及び／又は命令をロード及びストアするのに用いられ得る。一実施形態に関して、システムメモリ１１１２は、例えば、適切なダイナミックランダムアクセスメモリ（ＤＲＡＭ）のような任意の適切な揮発性メモリを含み得る。
【００７０】
ＮＶＭ／ストレージ１１１６は、データ及び／又は命令を格納するのに用いられる１又は複数の有形の非一時的コンピュータ可読媒体、例えば、通信ロジック１１２４を含み得る。ＮＶＭ／ストレージ１１１６は、例えば、フラッシュメモリのような任意の適切な不揮発性メモリを含み得、及び／又は、例えば、１又は複数のハードディスクドライブ（ＨＤＤ）、１又は複数のコンパクトディスク（ＣＤ）ドライブ、及び／又は１又は複数のデジタル多用途ディスク（ＤＶＤ）ドライブのような、任意の適切な不揮発性ストレージデバイスを含み得る。
【００７１】
ＮＶＭ／ストレージ１１１６は、システム１１００がインストールされるデバイスの物理的に一部分であるストレージリソースを含み得る、又は、それはデバイスによりアクセス可能であり得るが、必ずしもデバイスの一部ではなくてもよい。例えば、ＮＶＭ／ストレージ１１１６は、ネットワークインタフェース１１２０を介して、ネットワーク上において、及び／又は、入力／出力（Ｉ／Ｏ）デバイス１１３２上においてアクセスされ得る。
【００７２】
通信ロジック１１２４は、１又は複数のプロセッサ１１０４により実行されるとき、ＵＥ１０４、Ｐ−ＧＷ１０８、ｅＮＢ１２０、ＭＭＥ１２４、Ｓ−ＧＷ１２８、ＷＬＡＮゲートウェイ１３２のコンポーネントと関連付けられる動作、及び／又は上記の実施形態と関連して説明されるような処理７００、８００、９００又は１０００を、システム１１００に実行させる命令を含み得る。様々な実施形態において、通信ロジック１１２４は、システム１１００に明示的に示されてもよく、示されなくてもよいハードウェア、ソフトウェア、及び／又はファームウェアコンポーネントを含み得る。
【００７３】
ネットワークインタフェース１１２０は、１又は複数のネットワーク上において、及び／又は、任意の他の適切なデバイスと通信すべく、システム１１００に対して無線インタフェースを提供すべく、送受信機１１２２を有し得る。様々な実施形態において、送受信機１１２２は、システム１１００の他のコンポーネントと統合され得る。例えば、送受信機１１２２は、プロセッサ１１０４のプロセッサ、システムメモリ１１１２のメモリ、及びＮＶＭ／ストレージ１１１６のＮＶＭ／ストレージを含み得る。ネットワークインタフェース１１２０は、任意の適切なハードウェア、及び／又はファームウェアを含み得る。ネットワークインタフェース１１２０は、マルチ入力マルチ出力無線インタフェースを提供すべく、複数のアンテナを含み得る。一実施形態に関して、ネットワークインタフェース１１２０は、例えば、有線ネットワークアダプタ、無線ネットワークアダプタ、電話モデム、及び／又は無線モデムを含み得る。
【００７４】
一実施形態に関して、プロセッサ１１０４のうちの少なくとも１つは、システム制御ロジック１１０８の１又は複数のコントローラについてロジックと共にパッケージ化され得る。一実施形態に関して、プロセッサ１１０４のうちの少なくとも１つは、システムインパッケージ（ＳｉＰ）を形成すべく、システム制御ロジック１１０８の１又は複数のコントローラについてロジックと共にパッケージ化され得る。一実施形態に関して、プロセッサ１１０４のうちの少なくとも１つは、システム制御ロジック１１０８の１又は複数のコントローラについて同一ダイ上でロジックと統合され得る。一実施形態に関して、プロセッサ１１０４のうちの少なくとも１つは、システムオンチップ（ＳｏＣ）を形成すべく、システム制御ロジック１１０８の１又は複数のコントローラについて同一ダイ上でロジックと統合され得る。
【００７５】
様々な実施形態において、Ｉ／Ｏデバイス１１３２は、システム１１００とのユーザインタラクションを可能にするように設計されたユーザインタフェース、システム１１００とのペリフェラルコンポーネントインタラクションを可能にするように設計されたペリフェラルコンポーネントインタフェース、及び／又は、システム１１００に関連する環境条件及び／又は位置情報を決定するように設計されたセンサを含み得る。
【００７６】
様々な実施形態において、ユーザインタフェースは、限定されるものではないが、ディスプレイ（例えば、液晶ディスプレイ、タッチスクリーンディスプレイなど）、スピーカ、マイク、１又は複数のカメラ（例えば、スチルカメラ及び／又はビデオカメラ）、フラッシュライト（例えば、発光ダイオードフラッシュ）、及びキーボードを含み得る。
【００７７】
様々な実施形態において、ペリフェラルコンポーネントインタフェースは、限定されるものではないが、不揮発性メモリポート、ユニバーサルシリアルバス（ＵＳＢ）ポート、オーディオジャック、イーサネット（登録商標）接続、及び電源インタフェースを含み得る。
【００７８】
様々な実施形態において、センサは、限定されるものではないが、ジャイロセンサ、加速度計、近接センサ、周辺光センサ、及び測位ユニットを含み得る。測位ユニットはまた、測位ネットワークのコンポーネント、例えば、グローバルポジショニングシステム（ＧＰＳ）衛星と通信すべく、ネットワークインタフェース１１２０の一部であり得る、又はネットワークインタフェース１１２０と作用し得る。
【００７９】
様々な実施形態において、システム１１００は、限定されるものではないが、ラップトップコンピューティングデバイス、タブレットコンピューティングデバイス、ネットブック、スマートフォンなどのようなモバイルコンピューティングデバイスであり得る。様々な実施形態において、システム１１００は、より多くの、又はより少ないコンポーネント、及び／又は異なるアーキテクチャを有し得る。
【００８０】
いくつかの非制限的な例が以下に提供される。
【００８１】
例１は、非アクティブタイマ再構成のための装置であって、装置は、無線ローカルエリアネットワーク（ＷＬＡＮ）を介してユーザ端末（ＵＥ）と通信する通信回路と、通信回路と結合される監視回路とを備える。監視回路は、ＷＬＡＮ上においてＵＥの１又は複数のパケットデータネットワーク（ＰＤＮ）接続を監視し、監視された１又は複数のＰＤＮ接続に基づいて、ＵＥが無線セルラネットワークの発展型ノード基地局（ｅＮＢ）と無線リソース制御（ＲＲＣ）接続モードにあるべきことを決定し、ＵＥがＲＲＣ接続モードにあるべきという決定に基づいて、ＵＥと関連付けられる非アクティブタイマの一時中断を要求する、非アクティブタイマ再構成（ＩＴＲ）メッセージを送信する。
【００８２】
例２は、例１の装置であって、ＵＥがｅＮＢとＲＲＣ接続モードにあるべきことを監視回路が決定するとき、ＵＥは、無線セルラネットワークを介したＰＤＮ接続がない。
【００８３】
例３は、例１の装置であって、監視回路は、１又は複数のＰＤＮ接続の第１のＰＤＮ接続と関連付けられる所望のクオリティオブサービス（ＱｏＳ）に基づいて、ＵＥがｅＮＢとＲＲＣ接続モードにあるべきことを決定する。
【００８４】
例４は、例１の装置であって、装置は、ＷＬＡＮを介して、及び無線セルラネットワークを介してＵＥと通信するＰＤＮゲートウェイ（Ｐ−ＧＷ）により利用される。
【００８５】
例５は、例１の装置であって、監視回路は、ＩＴＲメッセージを無線セルラネットワークのモビリティ管理エンティティ（ＭＭＥ）に送信し、ＭＭＥは、ＩＴＲメッセージをｅＮＢに転送する。
【００８６】
例６は、例５の装置であって、ＵＥがｅＮＢとＲＲＣアイドルモードにある場合、ＭＭＥは、ｅＮＢとＲＲＣ接続モードに入るようＵＥに命令すべく、ＵＥをページングする。
【００８７】
例７は、例１の装置であって、ＵＥがｅＮＢからデタッチされる場合、監視回路は、ｅＮＢとＲＲＣ接続モードに入るようＵＥに命令する、ＰＤＮ接続要求メッセージを、ＷＬＡＮを介してＵＥに送信する。
【００８８】
例８は、例１の装置であって、監視回路は、ＩＴＲメッセージを、ＷＬＡＮを介してＵＥに送信する。
【００８９】
例９は、例１の装置であって、装置は、ＷＬＡＮの信頼性のある無線アクセスゲートウェイ（ＴＷＡＧ）、又は拡張パケットデータゲートウェイ（ｅＰＤＧ）により利用される。
【００９０】
例１０は、例１から９のいずれか１つの装置であって、ＩＴＲメッセージは、ＵＥと関連付けられる非アクティブタイマの一時中断が要求されることを示す、第１の値を有するインジケータを含む第１のＩＴＲメッセージであり、監視回路はさらに、非アクティブタイマが再開されるべきであることを示す、第２の値を有するインジケータを含む第２のＩＴＲメッセージを送信する。
【００９１】
例１１は、例１から９のいずれか１つの装置であって、ＩＴＲメッセージは、非アクティブタイマを一時中断するための理由を示す、理由コードを含む。
【００９２】
例１２は、無線セルラネットワークを介して、無線リソース制御（ＲＲＣ）接続モードのユーザ端末（ＵＥ）と通信する段階と、ＵＥと関連付けられる非アクティブタイマの一時中断が要求されることを示す、非アクティブタイマ再構成（ＩＴＲ）メッセージを受信する段階と、ＩＴＲメッセージに応答して、非アクティブタイマを一時中断する段階とを備える、発展型ノード基地局（ｅＮＢ）により利用される方法。
【００９３】
例１３は、例１２方法であって、ＩＴＲメッセージは、ＵＥと関連付けられる非アクティブタイマの一時中断が要求されることを示す、第１の値の有するインジケータを含む第１のＩＴＲのメッセージであって、方法はさらに、非アクティブタイマが再開されるべきであることを示す、第２の値を有するインジケータを含む第２のＩＴＲメッセージを受信する段階と、第２のＩＴＲメッセージに応答して、非アクティブタイマを有効化する段階とを備える。
【００９４】
例１４は、例１２の方法であって、ＩＴＲメッセージは、非アクティブタイマを一時中断するための理由を示す、理由コードを含む。
【００９５】
例１５は、例１２の方法であって、非アクティブタイマが一時中断される間、ＵＥをＲＲＣ接続モードに維持する段階をさらに備える。
【００９６】
例１６は、例１２から１５のいずれか１つの方法であって、非アクティブタイマの状態を、ＵＥについてのハンドオーバ処理の一部として、別のｅＮＢに送信する段階をさらに備える。
【００９７】
例１７は、例１２から１５のいずれか１つの方法であって、無線セルラネットワーク上の無線リンクに障害がない限り、非アクティブタイマが一時中断される間、ｅＮＢとデタッチ手続を開始しないようＵＥに命令する、ＩＴＲメッセージをＵＥに転送する段階をさらに備える。
【００９８】
例１８は、ユーザ端末（ＵＥ）により利用される装置であって、装置は、無線セルラネットワーク上において発展型ノード基地局（ｅＮＢ）と通信するセルラ無線回路と、無線ローカルエリアネットワーク（ＷＬＡＮ）上において通信するＷＬＡＮ無線回路と、セルラ無線回路及びＷＬＡＮ無線回路と結合されるネットワーク管理回路とを備える。ネットワーク管理回路は、非アクティブタイマを一時中断することを要求する、非アクティブタイマ再構成（ＩＴＲ）メッセージを受信し、ＵＥがｅＮＢと無線リソース制御（ＲＲＣ接続）モードにある場合、ＩＴＲメッセージをｅＮＢに送信し、非アクティブタイマは、ＵＥと関連付けられ、及びｅＮＢにより管理される。
【００９９】
例１９は、例１８の装置であって、ＵＥがｅＮＢとＲＲＣアイドルモードにある、又は無線セルラネットワークからデタッチされる場合、ネットワーク管理回路はさらに、ＲＲＣ接続モードのｅＮＢと接続を確立し、次に、ＩＴＲメッセージをｅＮＢに送信する。
【０１００】
例２０は、例１８の装置であって、ネットワーク管理回路はさらに、ｅＮＢが、ＩＴＲメッセージを受信後、非アクティブタイマをアクティブのまま保持していたことを決定し、ｅＮＢが非アクティブタイマをアクティブのまま保持していたという決定に応答して、所定の期間の後に、別のＩＴＲメッセージをｅＮＢに送信する。
【０１０１】
例２１は、例１８から２０のいずれか１つの装置であって、ネットワーク管理回路はさらに、ＩＴＲメッセージに基づいて、ＵＥが無線セルラネットワークからデタッチ処理を開始することを防ぐ。
【０１０２】
例２２は、例１８から２０のいずれか１つの装置であって、ＷＬＡＮ無線回路は、ＷＬＡＮを介してパケットデータネットワークゲートウェイ（Ｐ−ＧＷ）に接続され、ネットワーク管理回路はさらに、ＷＬＡＮ無線回路がＷＬＡＮを介してＰ−ＧＷに接続される間、ＵＥが無線セルラネットワークからデタッチ処理を開始することを防ぐ。
【０１０３】
例２３は、複数の命令を格納する１又は複数の有形のコンピュータ可読媒体であって、複数の命令は、実行されるとき、モビリティ管理エンティティ（ＭＭＥ）に、ユーザ端末（ＵＥ）と関連付けられる非アクティブタイマが一時中断されることを示す、パケットデータネットワークゲートウェイ(Ｐ−ＧＷ)から受信される非アクティブタイマ再構成（ＩＴＲ）メッセージを処理させ、ＵＥが、ＭＭＥにより管理される発展型ノード基地局（ｅＮＢ）と無線リソース制御（ＲＲＣ）アイドルモードにあることを特定させ、その特定に応答して、ｅＮＢとＲＲＣ接続モードに入るようＵＥに命令すべく、ＵＥをページングさせ、ＩＴＲメッセージをｅＮＢに送信させる。
【０１０４】
例２４は、例２３の１又は複数のコンピュータ可読媒体であって、ＩＴＲメッセージは、第１のＩＴＲメッセージであって、複数の命令は、実行されるとき、ＭＭＥにさらに、ＵＥと関連付けられる非アクティブタイマが一時中断されることを示す、第２のＩＴＲメッセージを受信させ、第２のＩＴＲメッセージの受信時に、ＵＥが、ｅＮＢとＲＲＣ接続モードにあることを特定させ、ＵＥがＲＲＣ接続モードにあるという特定に基づいて、ＩＴＲメッセージをｅＮＢに送信させる。
【０１０５】
例２５は、例２３の１又は複数のコンピュータ可読媒体であって、複数の命令は、実行されるとき、ＭＭＥにさらに、ｅＮＢが、ＩＴＲメッセージを受信した後、非アクティブタイマをアクティブのまま保持していたことを決定させ、ｅＮＢが非アクティブタイマをアクティブのまま保持していたという決定に応答して、所定の期間の後に、別のＩＴＲメッセージをｅＮＢに送信させる。
【０１０６】
例２６は、モビリティ管理エンティティ（ＭＭＥ）により利用される装置であって、装置は、ユーザ端末（ＵＥ）と関連付けられる非アクティブタイマが一時中断されることを示す、パケットデータネットワークゲートウェイ（Ｐ−ＧＷ）から受信された非アクティブタイマ再構成（ＩＴＲ）メッセージを処理する手段と、ＵＥが、ＭＭＥにより管理される発展型ノード基地局（ｅＮＢ）と無線リソース制御（ＲＲＣ）アイドルモードにあることを特定する手段と、その特定に応答して、ｅＮＢとＲＲＣ接続モードに入るようＵＥに命令すべく、ＵＥをページングする手段と、ＩＴＲメッセージをｅＮＢに送信する手段とを備える。
【０１０７】
例２７は、例２６の装置であって、ＩＴＲメッセージは第１のＩＴＲメッセージであって、装置はさらに、ＵＥと関連付けられる非アクティブタイマが一時中断されることを示す、第２のＩＴＲメッセージを受信する手段と、第２のＩＴＲメッセージの受信時に、ＵＥがｅＮＢとＲＲＣ接続モードにあることを特定する手段と、ＵＥがＲＲＣ接続モードにあるという特定に基づいて、ＩＴＲメッセージをｅＮＢに送信する手段とを備える。
【０１０８】
例２８は、例２６の装置であって、ｅＮＢが、ＩＴＲメッセージを受信後、非アクティブタイマをアクティブのまま保持していたことを決定する手段と、ｅＮＢが非アクティブタイマをアクティブのまま保持していたという決定に応答して、所定の期間の後に、別のＩＴＲメッセージをｅＮＢに送信する手段とをさらに備える。
【０１０９】
説明の目的のために、特定の実施形態が本明細書に示され、説明されたが、本出願は、本明細書で説明された実施形態の任意の適応及び変形をカバーすることが意図される。従って、本明細書で説明された実施形態は、請求項によってのみ限定されることが明確に意図される。
【０１１０】
本開示は、「１つ」又は「第１」の要素又はそれらの等価物について記述し、そのような開示は１又は複数のそのような要素を含み、２つ又はより多いそのような要素を要求することも排除することもない。さらに、特定された要素のための序数の標識（例えば、第１、第２、又は第３）は、それらの要素間を区別するために用いられ、特に言及されない限り、そのような要素の要求された又は限定された数を示さず又は示唆せず、又は、そのような要素の特定の位置又は順序を示さない。
【図１】
0006349578.tif 000002
【図２】
0006349578.tif 000003
【図３】
0006349578.tif 000004
【図４】
0006349578.tif 000005
【図５】
0006349578.tif 000006
【図６】
0006349578.tif 000007
【図７】
0006349578.tif 000008
【図８】
0006349578.tif 000009
【図９】
0006349578.tif 000010
【図１０】
0006349578.tif 000011
【図１１】
0006349578.tif 000012